(57)【要約】【課題】  有害物を紙パック式掃除機で吸引した後、掃除機用紙パック交換時に掃除機用紙パックを引き出す必要があり、掃除機用紙パックの変形による内容物の拡散・周囲へ汚染が発生する。また発火性の有害物の場合、内部モーターからの火花・発熱により使用することができない。【解決手段】  掃除機外部から掃除機用紙パック取り付け取り外しができると共に掃除機用紙パックを直接ビニール袋に廃棄することができる。また、掃除機吸引用モーターと外部接続用排気口を切り替えることで、発火性のある有害物にも対応することができる。【選択図】  図１
2020162855.tif 000002
【特許請求の範囲】
【請求項１】
紙パック式掃除機において、紙パックの吸引口と掃除機本体吸引口の接続部分脱着を掃除機外部からできる構造を特徴とする有害物回収用掃除機
【請求項２】
紙パック交換時、紙パックユニットを縦型掃除機本体より分離できる構造を特徴とする請求項１に記載の有害物回収用掃除機        
【請求項３】
分離した紙パックユニットから紙パックの脱着をユニット外部から立てたままマグネットの脱着または、回転で取り外しのできる構造を特徴とする請求項１または２記載の有害物回収用掃除機
【請求項４】
モーターユニット内の切り替えスイッチを使い分ける事で、後部に掃除機を繋ぎ、発火性のある有害物を回収容器として使い分けができる事を特徴とする請求項１から３の何れか１項に記載の有害物回収用掃除機
【請求項５】
紙パック固定板表面に凹凸があり、掃除機用紙パックが滑り難構造を特徴とする請求項１から４の何れか１項記載の有害物回収用掃除機
【請求項６】
掃除機用紙パックフードが、円錐形または、角錘形の筒構造を特徴とする請求項１から５の何れか１項記載の有害物回収用掃除機
【発明の詳細な説明】
【技術分野】
【０００１】
本発明は、生産・製造過程で発生する有害物を紙パック式掃除機に吸い込ませて、人体に触れる事なく廃棄処理できるユニットの有害物回収用掃除機に関する。
【背景技術】
【０００２】
半導体製品の製造過程で発生する有害物を洗浄過程で取り除く作業方法としては、保護マスク・ゴーグル・前掛け等の安全保護具を着用し、ハンドリング工具で固まりを取り除いてから、クリーンルーム用掃除機で細かい有害物を吸い込んでいました。
【０００３】
この作業方法では、固まりを取り除く時にパウダー状の有害物が飛散してクリーン領域を汚染する恐れがあります。
【０００４】
また、クリーンルーム掃除機に吸い込んだ有害物を廃棄する場合、掃除機内部の掃除機用紙パックの交換が必要になります。
【０００５】
交換時には、はめ込み式掃除機用紙パックの取り出し作業で、掃除機用紙パック変形による、有害物飛散防止のため排気設備のあるドラフト内で作業を行います。
【発明の概要】
【発明が解決しようとする課題】
【０００６】
有害物を設備内から回収する場合は、主に吸引装置の掃除機用紙パックに回収されますが、掃除機用紙パックを引っ張り出して交換する時に、掃除機用紙パックの破損による有害物が飛散・臭気による汚染が発生します。
【０００７】
また、掃除機用紙パックを引き出した後、ビニール袋に収納するまでの間は、紙パックが露出した状態になり、周辺の汚染に繋がります。
【０００８】
更に、掃除機用紙パックの近くには、掃除機の電気部品があるため、発火性の有害物に対応できません。
【課題を解決するための手段】
【０００９】
本発明は、掃除機用紙パックの固定方法を有害物回収用掃除機外部からマグネットを使い固定解除ができる構造にすることで、掃除機用紙パックの交換時に力を必要とせず、掃除機用紙パック自体も変形することなく周辺の汚染を防ぐことが出来ます。
【００１０】
また、紙パックユニットを外すことにより、ビニール袋に紙パックユニットを入れ掃除機用紙パック解除を行う事で、有害物を吸い込んだ掃除機用紙パックに触れることなくビニール袋に廃棄することができます。
【００１１】
発火性のある有害物の場合は、掃除機自体のモーター火花・発熱により使用出来ない場合も、吸引口を外部吸引口に切り替えることで発火性のある有害物でも使用することができます。
【発明の効果】
【００１２】
生産設備から排出される固形有害物を掃除機で回収する場合、回収する容器の掃除機用紙パックに触れることなく、廃棄処分を行うことで作業者の安全性を高めることができる。
【００１３】
また、発火の危険性のある有害物についても、外付け掃除機をつなぎ合わせることで、発火要因を遠ざけ作業者の安全性を高めることができる。
【図面の簡単な説明】
【００１４】
【図１】有害物回収用掃除機構造図
【図２】紙パック用フード
【図３】掃除機用紙パック取り付け構造図断面
【図４】モーターユニット構造図断面
【図５】掃除機用紙パック廃棄方法説明図
【発明を実施するための形態】
【００１５】
以下、本発明の一実施形態をなす有害物回収用掃除機を、図面を参照して説明する。
【００１６】
図１に示すように、有害物回収用掃除機は正面から見て縦型の箱、または円筒形状で、上段の紙パックユニット３と下段のモーターユニット５で構成されている。
【００１７】
紙パックユニット３は、内部に紙パック固定金具１２と紙パック用フード１１があり、外部には有害物を吸い込む吸引口１とモーターユニット５と連結するユニット接続金具６が付いている。このユニット接続金具６とモーターユニット側のユニット接続金具６aを使い、紙パックユニット３とモーターユニット５を繋いで固定する。
【００１８】
図２に示すように、掃除機用紙パック１０が膨らみ過ぎないように全面パンチング穴、または金網で作られた紙パックフード１１があり底部に同じ材質の淵１１aがあり筒の部分は円錐台または、角錘台をしている。
【００１９】
図３に示すように、紙パック用固体金具１２は、掃除機用紙パック１０の袋部分と取り付け用厚紙部分の間に蝶番構造の紙パック用固定板１９をはめ込み、吸引口１をガイドにした紙パック脱着マグネット７を使い、紙パック用固定板１９を磁力で吸い付けて、掃除機用紙パック１０を紙パックユニット３に固定する。
尚、紙パック固定板１９は、掃除機用紙パック１０との接触面に凹凸があり滑り難い加工をしている。
【００２０】
吸引口１から吸い込んだ有害物入りの掃除機用紙パック１０を廃棄する場合は、図５のように紙パックユニット３をビニール袋１４の上に持って行き、紙パック脱着用マグネット７を吸引口１から外すことで、紙パック固定板１９の磁力が失われて掃除機用紙パック１０がビニール袋１４に自然落下し廃棄することができる。
【００２１】
図４に示すように、モーターユニット５は、内部に吸気用モーターフード１８と一体化した吸気用モーター１３、外部接続用排気口２と排気を切り替える吸気モーター用開閉弁８と排気口用開閉弁９がある。
【００２２】
排気口用開閉弁９は、後段に接続する吸引設備の負圧により弁が開き、通常は、排気口開閉弁９内のスプリングにより弁は閉じている。
【００２３】
吸気モーター用開閉弁８は、操作パネル１５内の起動スイッチにより吸気モーター１３に通電される同時にソレノイドにより弁が開き、非通電時には開閉弁は閉じている。
【００２４】
排気口用開閉弁９には、マイクロスイッチ２０が付いており、排気口用開閉弁９が開いているときには、吸気モーター１３に通電されない仕組みになっている。
【００２５】
モーターユニット５の上部に、掃除機用紙パック１０の隙間から漏れた有害物をモーターユニット５内に流れ込まないよう、交換式のモーターユニットフィルター４が取り付いている
【００２６】
モーターユニットフィルター４は、掃除機用紙パック１０が膨らんだ状態で下から掃除機用紙パック１０を下から支えるようにモーターユニットフルター４の保護を兼ねた、メッシュ状または、金網状のスペーサー２１が取り付いている。
【００２７】
紙パックユニット３とモーターユニット５とユニット接続金具６を使い連結することで、有害物回収用掃除機として使い、外部接続用排気口２から吸引することで有害物回収用掃除機を有害物回収用容器として、電気火花・モーターの発熱による発火性のある有害物にも使用することができる。
【００２８】
制御用基板１６には、掃除機の駆動以外に安全対策として、過電流・負圧・吸気モーター用と排気口用開閉弁・水分検出・モーターと紙パックユニット用温度・排気口用接続検出がある。
【産業上の利用可能性】
【００２９】
人体に影響のある有害物・廃棄物を回収する場合は、吸引方法が安全ではあるが、吸引後に回収された有害物を取り出す場合に飛散、拡散からの影響を防ぐために、何重もの保護具を着用して作業する必要がある。本発明の有害物回収用掃除機を用いることで、作業者の労働安全性を高めることができます。
【符号の説明】
【００３０】
１．  吸引口
２．  外部接続用排気口
３．  紙パックユニット
４．  モーターユニット用フィルター
５．  モーターユニット
６．  ユニット接続金具
７．  紙パック脱着用マグネット
８．  吸気モーター用開閉弁
９．  排気口用開閉弁
１０． 掃除機用紙パック
１１． 紙パック用フード
１２． 紙パック固定用金具
１３． 吸気用モーター
１４． ビニール袋
１５． 操作パネル
１６． 制御用基板
１７． 電源コード
１８． 吸気用モーターフード
１９． 紙パック固定板
２０． マイクロスイッチ
２１． スペーサー
２２． 吸引口逆流防止弁
【図１】
2020162855.tif 000003
【図２】
2020162855.tif 000004
【図３】
2020162855.tif 000005
【図４】
2020162855.tif 000006
【図５】
2020162855.tif 000007